(57)【要約】 【課題】  壁の位置を変更する際に大掛かりな工事を要せず、先に構成された床および天井を傷つけることなく、壁パネル材も再利用できる間仕切り壁構造をを提供すること。【解決手段】  墨出しに合わせ上下のランナー１６Ａ、１６Ｂを、上述の両面粘着テープＲを用いて天井面Ｔと床面Ｆに仮止めする。次に、上下のランナー１６Ａ、１６Ｂの間に、上下伸縮機構１８０６を縮小状態としてスタッド１８を挿入し、上下伸縮機構１８０６を伸張状態として、スタッド１８を床面Ｆと天井面Ｔとの間で突っ張って自立させ、同時に、床面Ｆと天井面Ｔに沿って這わせた上下のランナー１６Ａ、１６Ｂを固定する。次に、上ランナー１６Ａに壁パネル材１４の上部をのみこませた状態で、面ファスナー３０によって壁パネル材１４をスタッド本体１８０２の両面に取着する。次に、上ランナー１６Ａの側壁１６２２に回縁１０を、下ランナー１６Ｂの側面１６０２に幅木９を取り付ける。【選択図】図１
2006274698.tif 000002
【特許請求の範囲】
【請求項１】
下地構成材と、前記下地構成材を覆うように前記下地構成材の両面にそれぞれ取り付けられる壁パネル材からなり、前記下地構成材は、天井面と床面に沿ってそれぞれ延在する上下のランナーと、前記上下のランナー間でそれらランナーの延在方向に間隔をおいて配設され鉛直方向に延在するスタッドとを備える間仕切り壁構造であって、
前記スタッドは上下伸縮機構を有し、前記上下伸縮機構により伸張した状態でその上下端部がそれぞれ上下のランナーを前記天井面、床面に押し付けることで取り付けられており、
前記上下のランナーは、前記スタッドにより前記天井面、床面に押し付けられることにより前記天井面、床面に取り付けられており、
前記壁パネル材は、面ファスナーを介して前記スタッドを覆うように前記スタッドの両面にそれぞれ取り付けられている、
ことを特徴とする間仕切り壁構造。
【請求項２】
前記面ファスナーは、互いに係脱可能に結合する一対のファスナー部材からなり、前記壁パネル材が前記スタッドに臨む面には、前記一対のファスナー部材の一方が上下に間隔をおき水平方向に延在するように複数設けられ、前記スタッドの両面には、それらの面全域に前記一対のファスナー部材の他方が設けられていることを特徴とする請求項１記載の間仕切り壁構造。
【請求項３】
前記壁パネル材は軽量な材料で内部空間を有する構造に形成され全体として軽量に形成されていることを特徴とする請求項１記載の間仕切り壁構造。
【請求項４】
前記壁パネル材は紙を主原料としてハニカム構造に形成されていることを特徴とする請求項１記載の間仕切り壁構造。
【請求項５】
前記壁パネル材は、床から天井までの高さを有することを特徴とする請求項１記載の間仕切り壁構造。
【請求項６】
前記上ランナーは、前記天井面に当接される上壁と、前記上壁の両端から垂設され前記スタッドの両面に取り付けられた各壁パネル材の表面の上縁に係止し各壁パネル材の倒れを阻止する側壁とを有し断面コ字状に形成されていることを特徴とする請求項１記載の間仕切り壁構造。
【請求項７】
前記上下のランナーは、前記天井面、床面を損傷させない程度の粘着力を有する両面粘着テープでそれぞれ前記天井面、床面に仮固定されていることを特徴とする請求項１記載の間仕切り壁構造。
【請求項８】
前記上ランナーは、前記上ランナーの延在方向と直交する方向の両側にそれぞれ側面を有し、前記両側の側面には、前記上ランナーを覆う回縁が両面粘着テープで取着されていることを特徴とする請求項１記載の間仕切り壁構造。
【請求項９】
前記下ランナーは、前記下ランナーの延在方向と直交する方向の両側にそれぞれ側面を有し、前記両側の側面には、前記下ランナーを覆う幅木が両面粘着テープで取着されていることを特徴とする請求項１記載の間仕切り壁構造。
【発明の詳細な説明】
【技術分野】
【０００１】
本発明は、集合住宅もしくは戸建住宅における住宅内の間仕切り壁のほか、事務室等各種用途の間仕切り壁に関するものである。
【背景技術】
【０００２】
既存の移動できる間仕切り壁の例として、オフィスの会議室やパーティー会場などで見られるように、天井、もしくは、天井及び床にあらかじめレール等の可動装置を設置し、レール等に沿って動かせるように間仕切り壁を取り付けることにより、室の使用規模に応じて壁を動かし、部屋の割付を変えることができるような構造のものがある。
一方、通常の集合住宅における住戸内の間仕切り壁や、戸建住宅の間仕切り壁において、その下地となる骨組みが木製もしくは金属製の骨組み材（一般にランナーやスタッドと呼ばれている）により構成されており、それらは、釘やビス、接着剤、溶接により相互または建物本体に固定されている（例えば、特許文献１、特許文献２）。
さらに、多くの場合、その下地となる骨組み材に貼られる間仕切りパネル材は、骨組み材にビスもしくは釘によって固定されている。
間仕切りパネル材は、面形状を保つ上でも曲げに対する抵抗性（かたさ）が必要であるが、板材料としてそのかたさを保つためには、ある程度の重量を持つものとなってしまう。例えば、一般に使用されている材料としては、石膏ボード、合板、パーティクルボード、珪酸カルシウム板などが上げられるが、比重が大きく、下地への固定に当たっては前述のようにビスもしくは釘で固定する必要がある。
【特許文献１】特開２００１−１８２２００
【特許文献２】特開２００２−２１２２９
【発明の開示】
【発明が解決しようとする課題】
【０００３】
前述の天井及び床にあらかじめレール等の可動装置を設置することによって移動できる間仕切り壁は、ふすま等によって部屋を区画する場合も含め、瞬時に目的に応じて間仕切り壁の位置を変更できる、または、開閉によって部屋の規模を変更できるというメリットがあるが、その間仕切り位置が、レール等の既設の可動装置の位置に限定されるため、一定の範囲内での変更しかできないというデメリットがある。
また、長期間生活する住宅などの居住スペースにおいて天井や床にレール等の可動装置を設置することは、レール等の装置が機械的に感じられるなどの理由から意匠面から好まれず、コストがかかるため、適切ではない。
一方、下地となる骨組みが、釘やビス、接着剤、溶接により相互または建物本体に固定されている間仕切り壁は、意匠的には満足のいく仕上がりとすることが可能であり、これが当たり前のように採用されているが、家族の成長や家族構成の変化、身体機能の変化などの理由で間仕切り位置を変更もしくは撤去したいという場合、大掛かりな解体工事を必要とし、また、当該壁に接続する床および天井を手直しすることなく工事をすることはほとんど不可能であり、時間や費用の面でデメリットがある。
【０００４】
また、下地となる骨組みが、釘やビス、接着剤、溶接により相互または建物本体に固定されている間仕切り壁は、専門工事業者でないと、施工・改修は困難である。
また、壁パネル材の再利用を考えた際、ビスや釘で下地材に取り付けられたパネル材は壁の変更時において損傷することなく取り外すことは困難であり、ほとんどの場合廃棄されてしまう。
壁パネル材を損傷することなく簡易な方法で下地材に取り付けるためには、壁パネル自体が軽量であることが有効であり、施工時の運搬のしやすさなど、施工労力を考えてもパネルが軽量であることが望まれる。
以上を踏まえ、本発明では、機械的な感じを与えず意匠的に満足の行く外観を持ち、また、壁の位置を変更する際に、大掛かりな工事を要せず、先に構成された床および天井を傷つけることなく、壁パネル材も再利用できるような、移動できる間仕切り壁構造を提案する。
【課題を解決するための手段】
【０００５】
本発明は、下地構成材と、前記下地構成材を覆うように前記下地構成材の両面にそれぞれ取り付けられる壁パネル材からなり、前記下地構成材は、天井面と床面に沿ってそれぞれ延在する上下のランナーと、前記上下のランナー間でそれらランナーの延在方向に間隔をおいて配設され鉛直方向に延在するスタッドとを備える間仕切り壁構造である。
前記スタッドは上下伸縮機構を有し、前記上下伸縮機構により伸張した状態でその上下端部がそれぞれ上下のランナーを前記天井面、床面に押し付けることで取り付けられている。
前記上下のランナーは、前記スタッドにより前記天井面、床面に押し付けられることにより前記天井面、床面に取り付けられている。
前記壁パネル材は、面ファスナーを介して前記スタッドを覆うように前記スタッドの両面にそれぞれ取り付けられている。
【発明の効果】
【０００６】
床と天井間に構成された壁下地材側に面ファスナーの一方を、壁パネル材側に面ファスナーのもう一方を取り付け、相互を貼り付けることにより間仕切り壁を構成することにより、家族の成長や家族構成の変化、身体機能の変化などの理由で間仕切り位置を変更もしくは撤去する場合に、大掛かりな解体工事を必要なく壁パネル材を取り外すことができる。
また、取り外された壁パネル材は同様の間仕切り壁の構成材として容易に再利用でき、産業廃棄物の削減に効果がある。
壁パネル材として、軽量で高い剛性のパネル、例えば、紙を主原料に作られたハニカム構造を持つパネルを使用するようにすると、下地材と壁パネル材とを接着させている面ファスナーの接着面に自重によってかかる応力を低減でき、パネルの剥がれを防止する上で有利となる。
また、壁パネル材として軽量のものを用いると、例えば運搬や立て込みといった施工時の労力が低減できるほか、専門の工事業者でなく素人でも比較的簡単に壁の立て込みをできるメリットもある。
【０００７】
さらに、その下地構成材のうちのスタッドが、上下伸縮機構を有するので、上下伸縮機構を伸張させることで、床と天井との間で突っ張って自立させることができので、床および天井に下地構成材を、ビス、釘、接着剤などを使用せずに固定することができ、前述のような理由で間仕切り位置を変更もしくは撤去する場合に、床及び天井の手直しを最小限に抑えることができ、時間や費用の面でメリットがある。
また施工時において、あらかじめきちんと決められた位置でなくても、任意に壁の位置を決定することができる。
下地構成材のうち上下のランナーは、例えば、床面と天井面との間の長さを有する突っ張り棒により、あるいは、伸縮機構を有する突っ張り棒により床面または天井面に仮固定しておけばよく、スタッドにより床面と天井面に固定される。
この場合、剥がしたときに天井、床の仕上げ面を損傷させない程度の粘着力を有する両面テープを用いて仮固定すると、施工もし易くなり、床または天井を傷つけることもない。
下地構成材のうち上ランナーを、壁パネル材をのみ込む形状にすると、壁パネル材と上ランナーとの間で壁パネル材を挟み込むことができ、地震など何らかの外力が壁パネル材にかかったときに、面ファスナーでスタッドに固定された壁パネル材がはがれて倒れてくることを防止する上で有利となる。
【発明を実施するための最良の形態】
【０００８】
以下、本発明の実施の形態について図面を参照して説明する。
図１は間仕切り壁構造の断面側面図、図２は壁パネル材およびスタッドならびに面ファスナーの説明図である。
図１に示すように、本発明の間仕切り壁構造１０は、下地構成材１２と、下地構成材１２を覆うように下地構成材１２の両面にそれぞれ取り付けられる壁パネル材１４とを備えている。
下地構成材１２は、床面Ｆと天井面Ｔに沿ってそれぞれ延在する上下のランナー１６Ａ、１６Ｂと、上下のランナー１６Ａ、１６Ｂ間でそれらランナー１６Ａ、１６Ｂの延在方向に間隔をおいて配設され鉛直方向に延在するスタッド１８とを備える。なお、振れ止めを目的としてスタッド１８間をつなぎ合わせる振れ止め材を用いるなど任意である。
【０００９】
下ランナー１６Ｂとして、例えば、金属製や木材製の帯板が使用される。
下ランナー１６Ｂの幅は、下ランナー１６Ｂの幅方向の両端（下ランナー１６Ｂの延在方向と直交する方向の両側）に位置する側面１６０２が、スタッド１８の両面に取着される壁パネル材１４の表面とほぼ同一面上に位置する寸法で形成されている。
上ランナー１６Ａとして、例えば、金属製や木材製のものが使用可能である。
本実施例では、上ランナー１６Ａは、天井面Ｔに当接される上壁１６２０と、上壁１６２０の両端から垂設されスタッド１８の両面に取り付けられる壁パネル材１４の表面の上縁に係止可能な側壁１６２２（上ランナー１６Ａの延在方向と直交する方向の両側の側壁１６２２）とを有し、断面コ字状に形成されている。
施工する際には、上下のランナー１６Ａ、１６Ｂと（既設または新設の）床面Ｆと天井面Ｔとを正確な位置にあわせて仮固定する必要があるが、ランナー１６Ａ、１６Ｂを、剥がしたときに既設の床面Ｆと天井面Ｔを損傷させない程度の粘着力を有する両面粘着テープＲ（貼って剥がせるような両面粘着テープＲ）を用いて既設の床面Ｆと天井面Ｔに接着する。
このように両面粘着テープＲを用いて上下のランナー１６Ａ、１６Ｂを床面Ｆと天井面Ｔに取り付けることで（仮固定することで）、間仕切り位置を変更もしくは撤去する場合に、床面Ｆおよび天井面Ｔの損傷がなくなり、手直しを最小限に抑えることができるため、作業時間を短縮できコストを削減できる点で有利となる。
【００１０】
スタッド１８は、スタッド本体１８０２と、スタッド本体１８０２の下端に取着された下ランナー押さえ部材１８０４と、スタッド本体１８０２の上部に組み付けられた上下伸縮機構１８０６と、上下伸縮機構１８０６の上端に取着された上ランナー押さえ部材１８０８とを備えている。
スタッド本体１８０２として、例えば、中空で矩形断面の金属製鋼管や断面が矩形の木材が使用される。
上下伸縮機構１８０６として、ねじ結合を利用した伸縮機構や、リンク機構を利用した伸縮機構、あるいはスタッド本体１８０２を断面が中空の矩形に形成しておきその内部に上下にスライド可能に断面が中空の矩形断面のスライダを組み込んだものなど、従来公知の様々な構造、あるいは市販品が採用可能である。
下ランナー押さえ部材１８０４や上ランナー押さえ部材１８０８として、例えば、金属製や木材製の帯板が使用される。
上下伸縮機構１８０６を用いると、スタッド１８が床面Ｆと天井面Ｔとの間で突っ張って自立できるようになり、スタッド１８を床面Ｆと天井面Ｔにビス、釘、接着剤等を使用せずに固定することができ、同時に、床面Ｆと天井面Ｔに沿って這わせた上下のランナー１６Ａ、１６Ｂもそれら床面Ｆ、天井面Ｔに押し付けることで固定することできる。
本実施例では、スタッド１８の両面に壁パネル材１４が取り付けられたのち、下ランナー１６Ａの側面１６０２に幅木２２が取り付けられ、上ランナー１６Ａの側壁１６２２に回縁２４が取り付けられ、上下のランナー１６Ａ、１６Ｂを隠すようにしている。
幅木２２や回縁２４として、例えば、木材製や金属製の帯板が使用される。
幅木２２や回縁２４の取り付けは、釘や木ねじなどを用いてもよいが、両面粘着テープを用いると分解や撤去を簡単に行える上で有利となる。
【００１１】
壁パネル材１４は、面ファスナー３０を介してスタッド１８を覆うようにスタッド本体１８０２の両面にそれぞれ取り付けられている。
図２に示すように、面ファスナー３０は、互いに係脱可能に結合する一対のファスナー部材３０Ａ、３０Ｂからなり、壁パネル材１４がスタッド本体１８０２に臨む面には、一対のファスナー部材３０Ａ、３０Ｂのうちの一方のファスナー部材３０Ａが上下に間隔をおき水平方向に延在するように複数設けられている。
また、スタッド本体１８０２の両面には、それらの面全域に一対のファスナー部材３０Ａ、３０Ｂのうちの他方のファスナー部材３０Ｂが設けられている。
このようにすると、その都度接合面を確認しなくても、壁パネル材１４が任意の箇所に位置してもスタッド本体１８０２と壁パネル材１４との間で接着面を常に得ることができる。また、壁パネル材１４に接着した面ファスナー３０の幅や間隔を適宜変えることによって壁パネル材１４とスタッド本体１８０２との接着力（取着力）を調節できる。
面ファスナー３０は様々な市販品が提供されているが、それら市販品の中から適宜選定して使用することができる。
なお、壁パネル材１４へのファスナー部材３０Ａの取り付け、スタッド本体１８０２へのファスナー部材３０Ｂの取り付けには、市販されている面ファスナーでも見られるように、あらかじめ施された粘着テープによって接着するが、この接着強度は、ファスナー部材３０Ａ、３０Ｂ同士の接着強度よりも十分に大きい値を有するものを選択する。
【００１２】
壁パネル材１４として、従来多く使用されてきている石膏ボード、合板、パーティクルボード、珪酸カルシウム板などの材料は、比重が大きいため、釘やビスなどによる接着と比べて接着力の小さい面ファスナー３０での接着には不利となる。
そこで、軽量な材料で内部空間を有する構造に形成され全体として軽量に形成された壁パネル材１４を用い、面ファスナー３０にかかる荷重負荷を軽減し、壁パネル材１４の剥がれを防止するようにしている。
この場合、軽量な材料として、紙やパルプを原料とするものや、紙やパルプにロックウールを混入したものなどが挙げられ、そして、このような軽量な材料で内部空間を有する構造に形成され全体として軽量に形成された壁パネル材１４として、従来公知の様々な市販品を使用可能である。
本実施例では、壁パネル材１４として、紙を主原料に作られたハニカム構造を持つ、例えば、前澤工業株式会社製のグリッドコアパネル（特許登録番号3048529）のフルパネル（意匠登録番号「997669」（厚さ18ｍｍ）（市販品）を用いた。
【００１３】
壁パネル材１４は、その鉛直方向の長さを床面Ｆから天井面Ｔまで一体となるような寸法にすると、すなわち、壁パネル材１４の高さを、床面Ｆから天井面Ｔまでの寸法で形成すると、水平目地ができず、かつ、取り付け、取り外しの施工が容易になり、上部に貼った壁パネル材１４が落下する心配もなくなる上で有利となる。
また、壁パネル材１４の室側の表面１４Ａをあらかじめ、クロス、塗装、単板貼り等、化粧仕上げとすることで、壁パネル材１４の取り付けと同時に仕上げも済むことになり、新設時、移設時どちらの場合においても、施工が簡単になる。ただし、この場合、鉛直方向の目地ができることを考慮しなくてはならない。必要に応じて、鉛直目地にジョイナーを配することもできる。
【００１４】
次に、施工手順について説明する。
まず、天井面Ｔと床面Ｆに間仕切り壁の位置の隅出しをする。
次に、墨出しに合わせ上下のランナー１６Ａ、１６Ｂを、上述の両面粘着テープＲを用いて天井面Ｔと床面Ｆに仮止めする。
次に、上下のランナー１６Ａ、１６Ｂの間に、上下伸縮機構１８０６を縮小状態としてスタッド１８を挿入し、上下伸縮機構１８０６を伸張状態として、スタッド１８を床面Ｆと天井面Ｔとの間で突っ張って自立させ、同時に、床面Ｆと天井面Ｔに沿って這わせた上下のランナー１６Ａ、１６Ｂをそれら天井面Ｔ、床面Ｆに押し付けることで固定する。このとき必要に応じてスタッド本体１８０２をつなぎ合わせる振れ止め材やブレースを配して壁の変形を防ぐようにしてもよい。
次に、上ランナー１６Ａに壁パネル材１４の上部をのみこませた状態で、面ファスナー３０によって壁パネル材１４をスタッド本体１８０２の両面に取着する。
次に、上ランナー１６Ａの側壁１６２２に回縁１０を、下ランナー１６Ｂの側面１６０２に幅木９を取り付け、上下のランナー１６Ａ、１６Ｂを隠す。
【００１５】
壁パネル材１４として前澤工業株式会社製のグリッドコアパネル（特許登録番号3048529）のフルパネル（意匠登録番号「997669」（厚さ18ｍｍ）を用い、内部の空気層（壁パネル材１４の間の空間）の寸法を４０ｍｍとした場合、JIS A 4702「防音扉」に規定の遮音等級Ｔ-1と同等の遮音性能を確保することが確認された。
また、中音域500Hzにおいて、25dB以上の遮音性能が確認された。なお、住戸内の間仕切りであれば、住戸間の界壁ほどは高い遮音性能を求められることは少ない。
また、間仕切り壁の内部の空気層（壁パネル材１４の間の空間）にグラスウールなどを配することもできる。
また、壁パネル材１４どうしの鉛直目地には、必要に応じて、図３に示すように、ジョイナー４０を配置した意匠とすることもできる。
【図面の簡単な説明】
【００１６】
【図１】間仕切り壁構造の断面側面図である。
【図２】壁パネル材およびスタッドならびに面ファスナーの説明図である。
【図３】壁パネル材どうしの鉛直目地に組み込まれるジョイナーの説明図である。
【符号の説明】
【００１７】
１０……間仕切り壁構造、１２……下地構成材、１４……壁パネル材、１６Ａ……上ランナー、１６Ｂ……下ランナー、１８……スタッド、１８０２……スタッド本体、１８０６……上下伸縮機構、３０……面ファスナー。
【図１】
2006274698.tif 000003
【図２】
2006274698.tif 000004
【図３】
2006274698.tif 000005